(57)【要約】      （修正有）【課題】簡易的かつ安全に水素を含んだ水素水を噴出可能なシャワーを提供する。【解決手段】水栓１７に接続されて水又はお湯が流れる水路１５を有し、水路１５には、この水路１５内の水又はお湯に水素を連続的に供給可能な水素供給装置２０を備える。水素供給装置２０内には水路１５内の水又はお湯に反応して水素を生成可能な水素生成部が設けられてる。具体的には水又はお湯と化学反応して水素を発生する水素発生剤と反応を促進するために添加される有機酸である。発生した水素は水又はお湯に溶解され、シャワーヘッド３０から噴出される。【選択図】図１
2017209242.tif 000002
【特許請求の範囲】
【請求項１】
水又はお湯が流れる水路を有し、
前記水路には、この水路内の水又はお湯に水素を連続的に供給可能な水素供給装置を備えたことを特徴とするシャワー。
【請求項２】
前記水素供給装置は、
前記水路を形成する中空の胴部と、前記胴部内に設置され、前記胴部内の表面の一部に開口部が形成された中空の反応部と、前記反応部内に設けられ、前記水路内の水又はお湯に反応して水素を生成可能な水素生成部とを備えることを特徴とする請求項１に記載のシャワー。
【請求項３】
前記水素生成部は、生成物の１つとして水素を生じる化学反応を行う水素発生剤と、前記水素発生剤に添加する有機酸とを備えることを特徴とする請求項２に記載のシャワー。
【請求項４】
前記水素発生剤は、マグネシウムであることを特徴とする請求項３に記載のシャワー。
【請求項５】
前記反応部は、前記胴部から着脱可能に設置されていることを特徴とする請求項２、３又は４に記載のシャワー。
【発明の詳細な説明】
【技術分野】
【０００１】
本発明は、水素水を噴出可能なシャワーに関する。
【背景技術】
【０００２】
本発明者らにより発表された論文である下記の非特許文献１及び２には、水に水素を溶存させた水素水に触れることで、皮膚の弾力性が向上したり、毛髪の滑らかさや毛髪の艶が増したり、深部体温を上昇させたりすることが開示されている。
また、下記の特許文献１には、水素水のような還元水が皮膚の老化防止等に寄与することから、入浴剤に水素発生剤を用いた技術が開示されている。
【０００３】
また、下記の特許文献２には、水素水のような還元水を飲むと、胃腸症状の改善や活性酸素の除去といったアンチエイジング効果が期待されることから、水を電気分解して電解水を生成する技術が開示されている。
【先行技術文献】
【非特許文献】
【０００４】
【非特許文献１】大河内正一、漆畑修、池田茂男、梅田一輝、栗田繕彰、「還元系水素入浴剤としての水素化マグネシウムの皮膚に及ぼす効果」、温泉科学、２０１４年、６３巻、第４号別冊、３１７−３２７
【非特許文献２】大河内正一、大波英幸、庄司未来、大野慶晃、池田茂男、阿岸祐幸、荻原知明、鈴木徹、「電解還元系の人口温泉水の皮膚及び髪に与える効果」、温泉科学、２００５年、５５巻、第２号別冊、５５−６３
【特許文献】
【０００５】
【特許文献１】ＷＯ２００７／５５１４６Ａ１
【特許文献２】特許第５６３９７２４号公報
【発明の概要】
【発明が解決しようとする課題】
【０００６】
しかし、上記の特許文献１に開示された技術は、水素水の製造方法として、浴槽に水素発生剤を溶かして水素水を製造するものであって、いわゆるバッチ式の製造方法である。そのため、上記の特許文献１に開示された技術は、毎日湯船に浸かる人の割合が減ってきており、シャワーですませる人の割合が多い現代社会には適合しがたいものである。したがって、上記の特許文献１に開示された入浴剤としての水素発生剤では、シャワーですませる人は水素水を浴びることができない。
【０００７】
また、上記の特許文献２に開示されているような電気分解によって水素水を生成する場合には、電気関係の設備を設ける必要があり、充分な安全性を確保する必要性を含め、比較的大がかりな工事が必要となる。
そこで、本発明は、簡易的かつ安全に水素を含んだ水素水を噴出可能なシャワーを提供することを課題とする。
【課題を解決するための手段】
【０００８】
上記課題を解決するために、本発明は、以下のような構成を備える。
（第１の発明）
第１の発明に係るシャワー10は、水又はお湯が流れる水路15を有し、前記水路15には、この水路15内の水又はお湯に水素を連続的に供給可能な水素供給装置20を備えたことを特徴とする。
【０００９】
ここで、「シャワー10」には、シャワーホース40やシャワーヘッド30等を備えたタイプや、シャワーホース40がなく、シャワーヘッド30のみの壁付けのタイプも含まれる。さらに、「シャワー10」には、浴室等で用いられるものに限らず、美容室等の洗髪等で用いられるものや、家庭等の洗面台で用いられるものも含まれる。
また、「水路15」には、シャワー10を構成するシャワーホース40や、水素供給装置20や、シャワーヘッド30等の水又はお湯が流れる部分も含まれる。
【００１０】
（第２の発明）
第２の発明に係るシャワー10は、前記した第１の発明の特徴に加え、前記水素供給装置20は、前記水路15を形成する中空の胴部22と、前記胴部22内に設置され、前記胴部22内の表面の一部に開口部24aが形成された中空の反応部24と、前記反応部24内に設けられ、前記水路15内の水又はお湯に反応して水素を生成可能な水素生成部26とを備えることを特徴とする。
【００１１】
ここで、シャワーホース40やシャワーヘッド30等を備えたタイプのシャワー10の場合には、シャワーホース40の一部を「胴部22」としてもよい。また、シャワーヘッド30のみの壁付けのタイプのシャワー10の場合には、シャワーヘッド30の一部を「胴部22」としてもよい。
【００１２】
（第３の発明）
第３の発明に係るシャワー10は、前記した第２の発明の特徴に加え、前記水素生成部26は、生成物の１つとして水素を生じる化学反応を行う水素発生剤と、前記水素発生剤に添加する有機酸とを備えることを特徴とする。
【００１３】
ここで、「水素発生剤」とは、水と反応させることで水素を発生可能な化学物質であればよく、たとえば、水素化ホウ素ナトリウムや、水素化マグネシウムや、マグネシウム等が挙げられる。
また、「有機酸」とは、水素の発生速度を上げるために用いられるものであればよく、たとえば、クエン酸等のカルボン酸が挙げられる。
【００１４】
（第４の発明）
第４の発明に係るシャワー10は、前記した第３の発明の特徴に加え、前記水素発生剤は、マグネシウムであることを特徴とする。
【００１５】
（第５の発明）
第５の発明に係るシャワー10は、前記した第２、第３又は第４の発明の特徴に加え、前記反応部24は、前記胴部22から着脱可能に設置されていることを特徴とする。
【発明の効果】
【００１６】
本発明に係るシャワーは、以上のように構成されているため、水素供給装置が水路内の水又はお湯に水素を連続的に供給することができる。そのため、本発明に係るシャワーによれば、シャワーから噴出される水又はお湯が水素を含んだ水素水となり、シャワー使用者が水素水を浴びることができる。
【００１７】
また、本発明によれば、水路内の水又はお湯に水素を連続的に供給するために、水素供給装置を水路上に設置するだけでよいため、簡易的に水素を含んだ水素水を噴出可能なシャワーを提供することができる。
【００１８】
また、本発明によれば、水路内の水又はお湯に水素を連続的に供給するために、水素供給装置を水路上に設置するだけでよく、電気関係の設備を必要としないため、感電等の恐れも生じないことから、安全に水素を含んだ水素水を噴出可能なシャワーを提供することができる。
【００１９】
また、本発明に係る水素発生剤として、マグネシウムを用いた場合には、反応部内のマグネシウムに有機酸を加えれば、水素を生じさせる化学反応を効率よく行うことができる。
【図面の簡単な説明】
【００２０】
【図１】第１の実施の形態に係るシャワーの全体図である。
【図２】第１の実施の形態に係るシャワーの概略部分断面図である。
【図３】第２の実施の形態に係るシャワーの全体図である。
【図４】第２の実施の形態に係るシャワーの概略部分断面図である。
【図５】第３の実施の形態に係るシャワーの全体図である。
【図６】第３の実施の形態に係るシャワーの概略部分断面図である。
【発明を実施するための形態】
【００２１】
（第１の実施の形態）
（構成）
第１の実施の形態に係るシャワー10は、図１に示すように、水栓17と、水栓17に固定されたシャワーホース40と、シャワーホース40とシャワーヘッド30との間に固定された水素供給装置20とを備えている。また、シャワーヘッド30の表面には、押圧することにより、シャワーヘッド30からの水又はお湯の噴出のＯＮ／ＯＦＦを切り替える調整スイッチ32が設けられている。
【００２２】
第１の実施の形態に係るシャワー10では、シャワーホース40、水素供給装置20及びシャワーヘッド30が、水又はお湯が流れる部分である「水路15」となっている。
また、第１の実施の形態に係る水素供給装置20は、図２に示すように、水路15を形成する中空の胴部22と、胴部22内に設置され、胴部22内の表面の一部に開口部24aが形成された中空の反応部24と、反応部24内に設けられ、水路15内の水又はお湯に反応して水素を生成可能な水素生成部26とを備えている。
【００２３】
胴部22は、その高さが１４ｃｍ、その径が７ｃｍの円筒形状に形成されている。また、胴部22は、樹脂素材で形成されている。なお、胴部22の寸法及び形状は、前記したものに限らず、他の仕様としてもよい。また、胴部22の材質も前記したものに限らず、たとえば、金属やガラス等を用いてもよい。さらに、胴部22は、シャワーホース40の一部としてもよいし、シャワーヘッド30の一部としてもよい。
【００２４】
また、胴部22の一端には、反応部24を挿入して固定するための反応部挿入孔22aと、シャワーヘッド30を挿入して固定し、水又はお湯を流出させるためのシャワーヘッド挿入孔22bとが形成されている。一方、胴部22の他端のうち、前記シャワーヘッド挿入孔22bと対向する部分には、シャワーホース40を挿入して固定し、水又はお湯を流入させるためのシャワーホース挿入孔22cが形成されている。
【００２５】
このとき、反応部挿入孔22aの径は、後述する反応部固定部24bを挿入可能とすべく、１．８ｃｍで形成されている。また、シャワーヘッド挿入孔22bの径は、後述するシャワーヘッド固定部34を挿入可能とすべく、１．８ｃｍで形成されている。さらに、シャワーホース挿入孔22cの径は、後述するシャワーホース固定部42を挿入可能とすべく、１．８ｃｍで形成されている。
【００２６】
反応部24は、その高さが１３．５ｃｍ、その径が１．８ｃｍで円筒状に形成されている。また、反応部24は、樹脂素材で形成されている。なお、反応部24の寸法は、胴部22内に設置可能な寸法であれば、前記したものに限らず、他の寸法としてもよい。また、反応部24の形状は、前記したものに限らず、他の形状としてもよい。さらに、胴部22の材質も前記したものに限らず、たとえば、金属やガラス等を用いてもよい。
【００２７】
また、図２に示すように、反応部24の表面、具体的には、外周面の一部に形成された開口部24aは、その径が０．１ｃｍの開口である。そして、この開口部24aから、水又はお湯が反応部24内に流入した後、この反応部24内に流入した水又はお湯が水素生成部26で化学反応を生じることにより生成された水素が開口部24aを通じて水路15内に流出することとなっている。なお、開口部24aの開口は０．１ｃｍに限らず、他の数値としてもよい。さらに、開口部24aは、反応部24の表面の１箇所に形成されるものに限らず、反応部24の表面の複数箇所に形成してもよい。
【００２８】
水素生成部26は、図２に示すように、反応部24内に設けられ、水路15内の水又はお湯に反応して水素を生成可能なものである。
具体的には、水素生成部26は、生成物の１つとして水素を生じる化学反応を行う水素発生剤と、水素発生剤との反応を促進するために添加する有機酸とから形成されている。しかし、必ずしも有機酸が必要とは限らない。
【００２９】
ここで、「水素発生剤」とは、水と反応させることで水素を発生可能な化学物質であればよく、たとえば、水素化ホウ素ナトリウムや、水素化マグネシウムや、マグネシウム等が挙げられる。第１の実施の形態では、水素発生剤として粒状のマグネシウムを用いている。
また、「有機酸」とは、水素の発生速度を上げるために用いられるものであればよく、たとえば、クエン酸等のカルボン酸が挙げられる。第１の実施の形態では、有機酸としてクエン酸を用いている。
【００３０】
ここで、第１の実施の形態では、反応部24は、胴部22内のうち、シャワーヘッド30とシャワーホース40とを結んだ直線上とは異なる箇所に設置されている。すなわち、第１の実施の形態では、反応部24は、胴部22から着脱可能に設置されている。
具体的には、反応部24は、反応部挿入孔22aに挿入することで胴部22内に進入し、反応部24の上部に形成された反応部固定部24bと、反応部挿入孔22aとが接触する。その後、反応部固定部24bと反応部挿入孔22aとを螺合させることにより、反応部24と胴部22とが固定される。もちろん、反応部固定部24bと反応部挿入孔22aとの螺合を解除させることにより、反応部24と胴部22との固定は解除され、反応部24が胴部22から取り外せることとなっている。
【００３１】
なお、反応部24と胴部22との固定方法は、反応部24が胴部22から着脱可能なものであれば、前記したものに限らず、他の方法としてもよい。
また、シャワーヘッド30と胴部22との固定方法も、上記した反応部24と胴部22との固定方法と同様である。すなわち、シャワーヘッド30の一端に形成されたシャワーヘッド固定部34をシャワーヘッド挿入孔22bに螺合させながら挿入することにより、シャワーヘッド30と胴部22とが固定される。なお、シャワーヘッド30と胴部22との固定方法は、前記したものに限らず、他の方法としてもよい。
【００３２】
また、シャワーホース40と胴部22との固定方法も、上記した反応部24と胴部22との固定方法と同様である。すなわち、シャワーホース40の一端に形成されたシャワーホース固定部42をシャワーホース挿入孔22cに螺合させながら挿入することにより、シャワーホース40と胴部22とが固定される。なお、シャワーホース40と胴部22との固定方法は、前記したものに限らず、他の方法としてもよい。
【００３３】
（作用）
第１の実施の形態に係るシャワー10では、以下の流れで、水路15内の水又はお湯に水素供給装置20が水素を供給している。
【００３４】
（１）まず、反応部24内に水素発生剤としてのマグネシウムと、有機酸としてのクエン酸とを投入する。このとき、マグネシウムとクエン酸とでは、クエン酸が反応部24内に先に投入され、クエン酸の投入後にマグネシウムが投入されることとなっている。そのため、反応部24内では、クエン酸が下に位置し、マグネシウムがクエン酸の上に位置することとなる。これにより、粉状のクエン酸が反応部24外へ流出することの防止を図ることができる。なお、これに限らず、マグネシウムとクエン酸とのうち、マグネシウムを先に反応部24内に投入し、マグネシウムの投入後にクエン酸を投入してもよい。
【００３５】
（２）次に、胴部22内に反応部24を固定する。その方法としては、反応部24を反応部挿入孔22aに挿入して胴部22内に反応部24を進入させ、反応部24の上部に形成された反応部固定部24bと、反応部挿入孔22aとを接触させる。その後、反応部固定部24bと反応部挿入孔22aとを螺合させることで、胴部22内に反応部24を固定する。
【００３６】
（３）次に、水栓17に設置された図示しない操作部を操作して、水路15内に水又はお湯を流す。この水路15内、具体的には、シャワーホース40内に流入した水又はお湯が水素供給装置20の胴部22に達して、徐々に胴部22内に水又はお湯が貯留されていく。やがて、胴部22内に貯留した水又はお湯が反応部24の外周面に形成された開口部24aを通じて反応部24内に流入する。そして、反応部24内に流入した水又はお湯がマグネシウムと反応して水素が発生する。
【００３７】
このとき、反応部24内のクエン酸と水又はお湯とも反応するため、上述したように水素の発生速度が上がり、クエン酸を用いない場合に比べて、より多くの水素が発生している。ここで、第１の実施の形態では、反応部24内に、マグネシウム１２グラムとクエン酸５グラムとが投入されている。なお、これらマグネシウム及びクエン酸の量は前記した量に限らず、水素を効率よく発生可能な量に適宜変更することができる。
【００３８】
（４）続いて、発生した水素が反応部24内に貯留していき、反応部24内の圧力が所定の閾値を超えた場合には、開口部24aから胴部22内に向けて水素が流出し、水路15内の水又はお湯に水素が連続的に供給されることとなる。
（５）そして、開口部24aから胴部22内に流出した水素が水路15内の水又はお湯と溶けることで、水路15内の水又はお湯が水素水となり、シャワーヘッド30から噴出される水又はお湯が水素水となる。第１の実施の形態では、反応部24内に、マグネシウム１２グラムとクエン酸５グラムとを投入したことで、約２０分間、シャワーヘッド30から噴出される水又はお湯が水素水となる。
【００３９】
このとき、マグネシウムと水又はお湯との反応は、以下の化学式１で示すように、水素を発生する。
【００４０】
【化１】
2017209242.tif 000003
【００４１】
また、第１の実施の形態では、マグネシウムを粒状の状態でクエン酸とともに反応部24内に投入しているが、この方法に限らず、たとえば、以下のように、マグネシウムとクエン酸とを反応部24内に投入してもよい。
【００４２】
すなわち、マグネシウムとクエン酸とをそれぞれ水溶性のカプセルで包み、そのカプセルを混ぜて錠剤の形にして使用してもよい。これにより、保存時にはマグネシウムとクエン酸とは接触ないため反応は進まないが、水又はお湯にこの錠剤を入れた際にはカプセルが溶け、水又はお湯とマグネシウムとが反応するとともに、水又はお湯のｐＨがクエン酸により下がるため、十分な量の水素を発生させることができる。なお、クエン酸を入れるカプセルとして、溶ける時間が短いものと長いものとを作成し、これら２種類のカプセルにクエン酸を入れて前述の錠剤を作成することで、クエン酸が一定時間毎にカプセルから水又はお湯に溶け出すようにしてもよい。これにより、反応部24内の溶液中のｐＨの変動を抑え、水素の発生速度をほぼ一定に保つことができる。
【００４３】
また、第１の実施の形態に係るシャワー10から噴出される水又はお湯の溶存水素濃度は、肌の老化防止等の効果を十分に得るべく、５０ｐｐｂ以上であることが望ましい。
なお、水路15内の水又はお湯の溶存水素濃度が不十分なときは、調整スイッチ32をＯＦＦにすることでシャワーヘッド30からの水又はお湯の噴出を停止させることが望ましい。そして、反応部24内に流入した水又はお湯がマグネシウムと反応して水素が十分に発生して、その発生した水素が開口部24aから胴部22内に流出して水路15内の水又はお湯に溶けたことで、水路15内の水又はお湯の溶存水素濃度が十分と判断した場合に、調整スイッチ32をＯＮにする。これにより、シャワーヘッド30から噴出される水又はお湯の溶存水素濃度が５０ｐｐｂ以上となるように調整することができる。
【００４４】
また、第１の実施の形態に係る胴部22と反応部24とは、発生した水素を視認可能とすべく、透明な物質で形成することが望ましい。これにより、反応部24で発生した水素を視認できるため、水路15内の水又はお湯に水素が溶け出ているか否かを認識できるので、シャワーヘッド30から水又はお湯を噴出するタイミングを認識しやすくなる。
【００４５】
また、第１の実施の形態では、マグネシウムとクエン酸との他、胴部22内あるいは水素供給装置20の前後に塩素除去剤としてボール状に形成した亜硫酸カルシウムとの接触部を設けることが望ましい。これにより、亜硫酸カルシウムの作用により、水路15内の水又はお湯の塩素濃度を低下させることができる結果、より安心して水素水シャワーを浴びることができることとなる。塩素除去剤として、亜硫酸カルシウムに限らず、塩素を除去できるビタミンCなどの還元系物質でもよい。
【００４６】
（第２の実施の形態）
以下、図３及び図４を参照して、本発明の実施の形態に係る第２の実施の形態を説明する。また、第２の実施の形態において、第１の実施の形態と同一の構成要素には、第１の実施の形態において用いた符号と同一の符号を用いている。そして、第１の実施の形態と重複する部分は説明を省略し、第２の実施の形態における特徴点を中心に説明する。
【００４７】
（構成）
第２の実施の形態に係るシャワー10は、図４に示すように、第１の実施の形態と異なり（図２参照）、反応部24が胴部22内のうち、シャワーヘッド30とシャワーホース40とを結んだ直線上に設置されていることを特徴とする。
【００４８】
第２の実施の形態に係る水素供給装置20は、図４に示すように、水路15を形成する中空の胴部22と、胴部22内のシャワーヘッド30とシャワーホース40とを結んだ直線上に設置され、胴部22内の表面の一部に開口部24aが形成された中空の反応部24と、反応部24内に設けられ、水路15内の水又はお湯に反応して水素を生成可能な水素生成部26とを備えている。なお、第２の実施の形態では、反応部24と胴部22とが一体で形成されているが、これに限らず、第１の実施の形態のように、反応部24を胴部22から着脱可能に固定してもよい。
【００４９】
第２の実施の形態に係る胴部22は、その高さが１４ｃｍ、その径が４ｃｍの円筒形状に形成されている。また、胴部22は、樹脂素材で形成されている。なお、胴部22の寸法及び形状は、前記したものに限らず、他の仕様としてもよい。また、胴部22の材質も前記したものに限らず、たとえば、金属やガラス等を用いてもよい。
【００５０】
このように、第２の実施の形態に係る胴部22は、第１の実施の形態に係る胴部22よりもその径が狭くなっている。そのため、図３に示すように、第２の実施の形態に係る水素供給装置20は、第１の実施の形態に係る水素供給装置20に比べて（図１参照）、コンパクトなサイズ感となり、シャワー10使用時に使用者の邪魔になりにくくなっている。
【００５１】
ここで、反応部24と胴部22とは、反応部24の上端及び下端から延出する筒状の連結部28によって固定されている。この連結部28は、その外周面に水又はお湯を水路15内で流通させるための流通孔29が複数形成されている。第２の実施の形態では、シャワーホース40を流れる水又はお湯が、下側の流通孔29から胴部22内に流入し、反応部24の外周面に沿って胴部22内を通過していき、上側の流通孔29からシャワーヘッド30内に流入することとなっている。
【００５２】
また、第２の実施の形態に係る反応部24は、図４に示すように、第１の実施の形態と同様に、反応部24の表面、具体的には、外周面の一部に開口部24aが形成されている。そして、この開口部24aから、水又はお湯が反応部24内に流入した後、この反応部24内に流入した水又はお湯が水素生成部26で化学反応を生じることにより生成された水素が開口部24aを通じて水路15内に流出することとなっている。
【００５３】
また、第２の実施の形態に係る反応部24は、その上端の一部に、水素発生剤及び有機酸を反応部24内に投入するための反応部開口孔50が形成されている。なお、図４に示す状態では、この反応部開口孔50は、上蓋52を押し込んで開口を塞ぐことによって閉口されている。この上蓋52は、水素発生剤及び有機酸を反応部24内に投入する際に取り外され、反応部24に水素発生剤及び有機酸を投入した後、反応部開口孔50に押し込んで開口を塞ぐものである。
また、第２の実施の形態では、水素発生剤として粉状の水素化ホウ素ナトリウムを用いている。
【００５４】
（作用）
第２の実施の形態に係るシャワー10では、以下の流れで、水路15内の水又はお湯に水素供給装置20が水素を供給している。なお、以下では、水素供給装置20とシャワーホース40とは固定された状態であることを前提に説明する。
（１）まず、反応部開口孔50から上蓋52を取り外し、反応部24内に水素発生剤としての水素化ホウ素ナトリウムと、有機酸としてのクエン酸とを投入する。その後、上蓋52を反応部開口孔50に押し込んで開口を塞ぐ。
（２）次に、水素供給装置20とシャワーヘッド30とを固定する。その方法としては、シャワーヘッド固定部34をシャワーヘッド挿入孔22bに螺合させながら挿入することで、水素供給装置20とシャワーヘッド30とを固定する。
【００５５】
（３）次に、水栓17に設置された図示しない操作部を操作して、水路15内に水又はお湯を流す。この水路15内、具体的には、シャワーホース40内に流入した水又はお湯が下側の流通孔29を通じて胴部22内に流入して、徐々に胴部22内に水又はお湯が貯留されていく。やがて、胴部22内に貯留した水又はお湯が反応部24の外周面に形成された開口部24aを通じて反応部24内に流入する。そして、反応部24内に流入した水又はお湯が水素化ホウ素ナトリウムと反応して水素が発生する。一方で、反応部24内に流入せず、胴部22内に貯留していった水又はお湯は、上側の流通孔29を通じてシャワーヘッド30内へと流入していく。
【００５６】
このとき、反応部24内のクエン酸と水又はお湯とも反応するため、上述したように水素の発生速度が上がり、クエン酸を用いない場合に比べて、より多くの水素が発生している。ここで、第２の実施の形態では、反応部24内に、水素化ホウ素ナトリウム１２グラムとクエン酸５グラムとが投入されている。なお、これら水素化ホウ素ナトリウム及びクエン酸の量は前記した量に限らず、水素を効率よく発生可能な量に適宜変更することができる。
【００５７】
（４）そして、反応部24内で発生した水素が開口部24aを通じて反応部24外へ流出して水路15内の水又はお湯と溶けることで、水路15内の水又はお湯が水素水となり、シャワーヘッド30から噴出される水又はお湯が水素水となる。第２の実施の形態では、反応部24内に、水素化ホウ素ナトリウム１２グラムとクエン酸５グラムとを投入したことで、約２０分間、シャワーヘッド30から噴出される水又はお湯が水素水となる。
このとき、水素化ホウ素ナトリウムと水又はお湯との反応は、以下の化学式２で示すように、水素を発生する。
【００５８】
【化２】
2017209242.tif 000004
【００５９】
（第２の実施の形態の変形例）
変形例は、上記した第２の実施の形態の構成と異なり、反応部24の上端及び下端に、メッシュ状の開口部24aを形成して、直接、水路15内を流れる水又はお湯に、錠剤の水素化ホウ素ナトリウムを接触させて水素を発生させるものである。
【００６０】
この場合、開口部24aから粉状の水素化ホウ素ナトリウムと粉状のクエン酸とが流出することを防止すべく、水素化ホウ素ナトリウムとクエン酸とを錠剤で形成することが望ましい。この場合の水素化ホウ素ナトリウムとクエン酸との錠剤の当初の大きさは、メッシュ状の開口部24aの幅よりも大きくなっている。
【００６１】
この構成によれば、反応部24を胴部22内のうち、水路15内の水又はお湯が流れる流路中に設けることができるため、水素供給装置20の大きさをコンパクトにすることができる。
【００６２】
（第３の実施の形態）
【００６３】
以下、図５及び図６を参照して、本発明の実施の形態に係る第３の実施の形態を説明する。また、第３の実施の形態において、第１及び第２の実施の形態と同一の構成要素には、第１及び第２の実施の形態において用いた符号と同一の符号を用いている。そして、第１及び第２の実施の形態と重複する部分は説明を省略し、第３の実施の形態における特徴点を中心に説明する。
【００６４】
（構成）
第３の実施の形態に係るシャワー10は、図６に示すように、第１及び第２の実施の形態と異なり（図２及び図４参照）、水素供給装置20がシャワーヘッド30内の水路15中に設置されていることを特徴とする。
【００６５】
そのため、図５に示すように、第３の実施の形態では、第１及び第２の実施の形態と異なり（図１及び図３参照）、シャワー10に水素供給装置20を備えても水素供給装置20が外部に露出することがないため、シャワー10使用時に使用者の邪魔になることがない。
なお、第３の実施の形態では、反応部24と胴部22とが一体で形成されているが、これに限らず、第１の実施の形態のように、反応部24を胴部22から着脱可能に固定してもよい。
【００６６】
また、第３の実施の形態では、胴部22の上端の一部が反応部24の上端となっている。そして、胴部22の上端のうち反応部24の上端と重複しない部分には、胴部22の上端の下面と上面とを貫通させるように流通孔29が複数形成されている。また、胴部22の内周面の一部と反応部24の外周面の一部とは、筒状の連結部28によって固定されている（図示せず）。そして、この連結部28には、連結部28の下面と上面とを貫通させるように複数の流通孔29が形成されている（図６参照）。
【００６７】
このとき、第３の実施の形態では、シャワーホース40を流れる水又はお湯が胴部22内に流入して、下側の流通孔29を通じて胴部22内を進んでいき、上側の流通孔29からシャワーヘッド30内に流入することとなっている。
【００６８】
また、第３の実施の形態に係る反応部24は、図６に示すように、第１及び第２の実施の形態と同様に、反応部24の表面、具体的には、外周面の一部に開口部24aが形成されている。そして、この開口部24aから、水又はお湯が反応部24内に流入した後、この反応部24内に流入した水又はお湯が水素生成部26で化学反応を生じることにより生成された水素が開口部24aを通じて水路15内に流出することとなっている。
【００６９】
また、第３の実施の形態に係る反応部24は、その下端の一部に、水素発生剤及び有機酸を反応部24内に投入するための反応部開口孔50が形成されている。なお、図６に示す状態では、この反応部開口孔50は、下蓋54を押し込んで開口を塞ぐことによって閉口されている。この下蓋54は、水素発生剤及び有機酸を反応部24内に投入する際に取り外され、反応部24に水素発生剤及び有機酸を投入した後、反応部開口孔50に押し込んで開口を塞ぐものである。
また、第３の実施の形態では、水素発生剤として粉状の水素化マグネシウムを用いている。
【００７０】
（作用）
第３の実施の形態に係るシャワー10では、以下の流れで、水路15内の水又はお湯に水素供給装置20が水素を供給している。
【００７１】
（１）まず、反応部開口孔50から下蓋54を取り外し、反応部24内に水素発生剤としての水素化マグネシウムと、有機酸としてのクエン酸とを投入する。その後、下蓋54を反応部開口孔50に押し込んで開口を塞ぐ。
（２）次に、水栓17に設置された図示しない操作部を操作して、水路15内に水又はお湯を流す。この水路15内、具体的には、シャワーホース40内に流入した水又はお湯が胴部22内に流入し、下側の流通孔29を通じて胴部22内を進んでいって、徐々に胴部22内に水又はお湯が貯留されていく。やがて、胴部22内に貯留した水又はお湯が反応部24の外周面に形成された開口部24aを通じて反応部24内に流入する。そして、反応部24内に流入した水又はお湯が水素化マグネシウムと反応して水素が発生する。一方で、反応部24内に流入せず、胴部22内に貯留していった水又はお湯は、上側の流通孔29を通じてシャワーヘッド30内の先端側へと流入していく。
【００７２】
このとき、反応部24内の有機酸としてのクエン酸と水又はお湯とも反応するため、上述したように水素の発生速度が上がり、クエン酸を用いない場合に比べて、より多くの水素が発生している。ここで、第３の実施の形態では、反応部24内に、水素化マグネシウム１２グラムとクエン酸５グラムとが投入されている。なお、これら水素化マグネシウム及びクエン酸の量は前記した量に限らず、水素を効率よく発生可能な量に適宜変更することができる。
【００７３】
（３）そして、反応部24内で発生した水素が開口部24aを通じて反応部24外へ流出して水路15内の水又はお湯と溶けることで、水路15内の水又はお湯が水素水となり、シャワーヘッド30から噴出される水又はお湯が水素水となる。第３の実施の形態では、反応部24内に、水素化マグネシウム１２グラムとクエン酸５グラムとを投入したことで、約２０分間、シャワーヘッド30から噴出される水又はお湯が水素水となる。
このとき、水素化マグネシウムと水又はお湯との反応は、以下の化学式３で示すように、水素を発生する。
【００７４】
【化３】
2017209242.tif 000005

【００７５】
（第３の実施の形態の変形例）
変形例は、上記した第３の実施の形態の構成と異なり、反応部24の上端及び下端に、メッシュ状の開口部24aを形成して、直接、水路15内を流れる水又はお湯に、錠剤の水素化マグネシウムを接触させて水素を発生させるものである。
【００７６】
この場合、開口部24aから粉状の水素化マグネシウムと粉状のクエン酸とが流出することを防止すべく、水素化マグネシウムとクエン酸とを錠剤で形成することが望ましい。この場合の水素化マグネシウムとクエン酸との錠剤の当初の大きさは、メッシュ状の開口部24aの幅よりも大きくなっている。
【００７７】
この構成によれば、反応部24内の錠剤の水素化マグネシウムに、直接、水路15内を流れる水又はお湯を接触させ、錠剤の水素化マグネシウムが徐々に溶けていくことで生成された水素を直接、水路15内を流れる水又はお湯に供給することができる。
【００７８】
（第１、第２、第３の実施の形態の作用効果）
第１、第２、第３の実施の形態に係るシャワー10は、以上のように構成されているため、水素供給装置20が水路15内の水又はお湯に水素を連続的に供給することができる。そのため、第１、第２、第３の実施の形態に係るシャワー10によれば、シャワーヘッド30から噴出される水又はお湯が水素を含んだ水素水となり、シャワー使用者が水素水を浴びることができる。
【００７９】
また、第１、第２、第３の実施の形態によれば、水路15内の水又はお湯に水素を連続的に供給するために、水素供給装置20を水路15上に設置するだけでよいため、簡易的に水素を含んだ水素水を噴出可能なシャワー10を提供することができる。
【００８０】
また、第１、第２、第３の実施の形態によれば、水素供給装置20が水路15の一部となり、かつ、水素供給装置20が電気関係の設備を必要としないため、感電等の恐れも生じないことから、安全に水素を含んだ水素水を噴出可能なシャワー10を提供することができる。
【００８１】
また、第１、第２、第３の実施の形態に係る水素発生剤として、マグネシウムを用いた場合には、反応部24内のマグネシウムに有機酸を加えれば、水素を生じさせる化学反応を効率よく行うことができる。なお、第１、第２、第３の実施の形態では、水素生成部26として、水素発生剤と、水素発生剤に添加する有機酸とを用いたが、これに限らず、水素生成部26は、水素発生剤のみであってもよい。すなわち、水素発生剤としてのマグネシウム、水素化ホウ素ナトリウム又は水素化マグネシウムに水又はお湯を接触させるだけであっても、水素を生じる化学反応が行われる。
【００８２】
また、第１、第２、第３の実施の形態によれば、有機酸を加えることで、上記で示した、化学式１、化学式２及び化学式３に示す反応の反応速度を上げることができるため、水素の発生速度が上がり、一定時間あたりの水素供給量が増え、シャワー10から噴出される水の溶存水素濃度を上げることができる。
【符号の説明】
【００８３】
10  シャワー                              15  水路
17  水栓
20  水素供給装置                          22  胴部
22a  反応部挿入孔                          22b  シャワーヘッド挿入孔
22c  シャワーホース挿入孔                  24  反応部
24a  開口部                                24b  反応部固定部
26  水素生成部                            28  連結部
29  流通孔                                
30  シャワーヘッド                        32  調整スイッチ
34  シャワーヘッド固定部                  
40  シャワーホース                        42  シャワーホース固定部
50  反応部開口孔                          52  上蓋
54  下蓋
【図１】
2017209242.tif 000006
【図２】
2017209242.tif 000007
【図３】
2017209242.tif 000008
【図４】
2017209242.tif 000009
【図５】
2017209242.tif 000010
【図６】
2017209242.tif 000011